【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】  分与用先端部内の水性液体の状態を検出する方法であって、該先端部が軸線を有すると共に、約６３０ｎｍと約２０００ｎｍとの間の波長を有する放射の光を先端部を介し透過させることが可能であり、方法が、
ａ）上記先端部に液体を吸引して該先端部を呼びレベルまで充填する段階と、
ｂ）光源と、上記波長の一つにおける放射を夫々、放出及び検出する光検出器とを備えたスキャナにより上記先端部内の液体を走査する走査段階と、
ｃ）上記段階ｂ）が行われている間に上記先端部及び上記スキャナの相対移動を提供して上記水性液体の垂滴が存在するとすれば位置するであろう上記先端部上の箇所よりも上方の第１の位置から、上記呼びレベルを表す予め定められた第２の位置まで上記スキャナが走査するようにする段階と、
ｄ）段階ｂ）及びｃ）が行われている間に、上記第１の位置と第２の位置との間でかつ第１の位置及び第２の位置を含む上記先端部の幾つかの部分の各々において、上記波長の一つにおいて上記光検出器まで透過した光の量を別々に検出し、それにより先端部内における全ての液体収容レベルを検出するようにする段階と、
ｅ）上記幾つかの部分の各々に対し、液体が存在しないときに上記先端部を介し透過した光の量から、段階ｄ）で透過した光の量を減算して上記部分の各々において存在する液体量により引き起こされた透過値を獲得する段階と、
ｆ）上記幾つかの部分の各々に対し段階ｅ）から得られる上記透過値を積分して液体が存在することによる上記先端部における透過率の総計値を獲得する段階と、
ｇ）上記透過率の総計値を、気泡のない選択呼び液体容積に対し存在する既知の総計値と比較する段階と、
ｈ）垂滴が存在し得る上記第１の位置よりも下方の位置と、過剰な液体が存在し得る上記第２の位置よりも上方の位置とに対して上記段階ｃ）及びｄ）を繰り返す段階と、
ｉ）上記下方の及び上方の位置の両方において透過した光の値を夫々、上記下方の及び上方の位置において液体の不存在下で透過した値と比較する段階と、
ｊ）段階ｇ）の比較結果が選択呼び液体容積に対し予め定められた設定範囲内にないか、又は段階ｉ）における比較結果が上記下方の又は上方の位置のいずれかに対する液体不存在下での値の予め定められた設定範囲内にないときに結果をエラーであると標識付ける段階と、
を具備した方法。
【請求項２】  分与用先端部内の水性液体の状態を検出する方法であって、該先端部が軸線を有すると共に、約６３０ｎｍと約２０００ｎｍとの間の波長を有する放射の光を先端部を介し透過させることが可能であり、方法が、
ａ）上記先端部に液体を吸引して該先端部を呼びレベルまで充填する段階と、
ｂ）光源と、上記波長の一つにおける放射を夫々、放出及び検出する光検出器とを備えたスキャナにより上記先端部内の液体を走査する走査段階と、
ｃ）上記段階ｂ）が行われている間に上記先端部及び上記スキャナの相対移動を提供して上記水性液体の垂滴が存在するとすれば位置するであろう上記先端部よりも下方の第１の位置から、上記呼びレベルを表しかつ上記第１の位置よりも上方の予め定められた第２の位置まで上記スキャナが走査するようにする段階と、
ｄ）段階ｂ）及びｃ）が行われている間に、上記第１の位置と第２の位置との間でかつ第１の位置及び第２の位置を含む上記先端部の幾つかの部分の各々において、上記波長の一つにおいて上記光検出器まで透過した光の量を別々に検出し、それにより先端部内における全ての液体収容レベルを検出するようにする段階と、
ｅ）先端部の上記軸線を通る先端部断面の２次元表現上に上記透過光の量をマッピングする段階と、
ｆ）マッピング済み値を、上記第１の位置と第２の位置との間のみに配置された気泡のない液体を含む先端部に対する既知マッピング済み値と比較する段階と、
ｇ）段階ｆ）の比較が予め選択された偏差値を越える不一致を検出したときにエラーであると結果を標識付ける段階と、
を具備した方法。
【請求項３】  上記各部分が約０．００１ｎｍと１ｍｍとの間の距離だけ互いに離間される請求項１又は２に記載の方法。
【請求項４】  上記波長の一つが約８８０ｎｍである請求項１又は２に記載の方法。
【請求項５】  上記光源がＬＥＤである請求項１又は２に記載の方法。
【請求項６】  上記走査段階が上記放射を上記先端部の軸線に対し概ね９０°の角度に指向せしめる請求項１又は２に記載の方法。
【請求項７】  分析器の計量供給用先端部の不適切な液体内容物を検出する装置であって、該先端部が軸線を有しており、装置が、
ａ）光源と、光検出器と、該光源から該光検出器に対し約６３０ｎｍと約２０００ｎｍとの間の波長において光を送出する手段とを具備するスキャナと、
ｂ）上記先端部に対し上記スキャナを通過する相対移動を提供して上記スキャナが上記先端部及びその内容物を走査するようにする移動手段と、
ｃ）上記先端部の少なくとも幾つかの隣接部分と、垂滴が位置するであろう上記先端部の直下方とにおいて、上記先端部を介し上記光検出器まで透過した光を検出するように上記光検出器を指向せしめる上記移動手段及び上記光検出器の制御器と、
ｄ）上記幾つかのレベルにおいて透過した光を上記レベルの各々において気泡を含まない液体を含む先端部を表す既知のものと比較する比較器と、
を具備した装置。
【請求項８】  上記光源及び上記光検出器が約８８０ｎｍで作用する請求項７記載の装置。
【請求項９】  上記スキャナが放射を上記先端部の軸線に対し概ね９０°の角度に指向せしめる請求項７記載の装置。
【請求項１０】  計量供給用先端部と、該先端部を上記移動手段に取り付ける手段を組み合わせて更に含み、該先端部が中空本体と該本体内の導電性プランジャとを具備した請求項７記載の装置。
【請求項１１】  分与用先端部内の水性液体の状態を検出する方法であって、該先端部が対称軸線を有すると共に、６３０ｎｍと２０００ｎｍとの間の波長を有する放射の光を先端部を介し透過させることが可能であり、方法が、
ａ）上記先端部に液体を吸引して該先端部を呼びレベルまで充填する段階と、
ｂ）上記先端部の対称軸線に対し概ね垂直の方向に整列された光源と光検出器とを備えたスキャナにより上記先端部内の液体を走査する段階と、
ｃ）上記段階ｂ）が行われている間に上記先端部及び上記スキャナの相対移動を提供して上記水性液体の垂滴が存在するとすれば位置するであろう上記先端部よりも下方の第１の位置から、上記呼びレベルを表しかつ上記第１の位置よりも上方の予め定められた第２の位置まで上記スキャナが走査するようにする段階と、
ｄ）段階ｂ）及びｃ）が行われている間に、上記第１の位置と第２の位置との間でかつ第１の位置及び第２の位置を含む上記先端部の幾つかの部分の各々において、上記光検出器まで透過した光の量を別々に検出し、それにより先端部内における全ての液体収容レベルを検出するようにする段階と、
ｅ）段階ｄ）の上記検出された光を、気泡のない液体のみが全ての上記レベルに存在するとしたときに透過されるべき既知の光と比較する段階と、
ｆ）上記第１の位置において水性液体を検出したとき、又は上記第２の位置を含め該第２の位置までの上記先端部内において上記レベルのいずれかにおける気泡のために水性液体を検出しないとき、又は上記第２の位置よりも上方において水性液体を検出したときにエラーであると結果を標識付ける段階と、
を具備した方法。